(57)【要約】【課題】  アスベストの飛散を防いで安全性を確保しつつコストを低減させて解体作業を行うことのできる工法を提供する。【解決手段】  アスベスト成型板が屋根４，壁３等に用いられている建物１を解体するに際し、建物１の側周に立設された足場５にシート６をかけて、建物１の側周をシート６で密閉養生しておき、屋根４を構成するアスベスト成型板に飛散防止薬液を上方から吹き付けた後、建物１内に配置した重機９で屋根４のアスベスト成型板を破壊して落下させる。【選択図】  図１
2007063784.tif 000002
【特許請求の範囲】
【請求項１】
アスベスト成型板が屋根，天井，壁等に用いられている建物を解体するに際し、前記建物の側周に立設された足場にシートをかけて、該建物の側周を密閉養生しておき、前記アスベスト成型板に飛散防止薬液を吹き付けた後、該アスベスト成型板を破壊することを特徴とするアスベスト成型板の解体時における飛散防止工法。
【請求項２】
前記建物の窓や、建物外周と前記足場間の床面にも、シートをかけて養生しておくことを特徴とする請求項１に記載のアスベスト成型板の解体時における飛散防止工法。
【請求項３】
前記アスベスト成型板の破壊作業時にも、前記建物内の空中に飛散防止薬液を散布することを特徴とする請求項１または請求項２に記載のアスベスト成型板の解体時における飛散防止工法。
【請求項４】
解体作業後に前記シートに飛散防止薬液をかけて、該シートをコーティングすることを特徴とする請求項１または請求項２または請求項３に記載のアスベスト成型板の解体時における飛散防止工法。
【発明の詳細な説明】
【技術分野】
【０００１】
本発明は、アスベスト成型板の解体時における飛散防止工法に関するものである。
【背景技術】
【０００２】
アスベストを含有した石綿スレート板，珪酸カルシウム板，サイディング板等のアスベスト成型板は、工場等の屋根，天井，壁材として多く用いられており、このようなアスベスト成型板を用いた工場等を解体する際に、アスベスト成型板は割れない限りアスベストが飛散することはないので、国等は破断を伴わない手バラシの基準として、水道水をかけて飛散を防止するように指導しているのが現状である。
【特許文献１】特開２００４―３０５９０４号公報
【発明の開示】
【発明が解決しようとする課題】
【０００３】
アスベスト成型板を用いた建物を解体する際に、アスベスト成型板が全く割れないように一枚ずつボルトを外して取り外すような作業を行うとすると、そのような作業は危険を伴い、また時間およびコストが掛かりすぎて、実際には不可能であり、コストを低減させるためにユンボ等の重機やハンマー等の打撃工具を用いて建物を解体する際には、必ずアスベスト成型板が割れて内部に含有されているアスベストが周囲に飛散してしまうという問題点があった。
【課題を解決するための手段】
【０００４】
本発明は上記従来の問題点に鑑み案出したものであって、アスベスト成型板が用いられている建物を解体する際に、アスベストの飛散を確実に防ぐことのできるアスベスト成型板の解体時における飛散防止工法を提供するものであり、その請求項１は、アスベスト成型板が屋根，天井，壁等に用いられている建物を解体するに際し、前記建物の側周に立設された足場にシートをかけて、該建物の側周を密閉養生しておき、前記アスベスト成型板に飛散防止薬液を吹き付けた後、該アスベスト成型板を破壊することである。
【０００５】
また請求項２は、前記建物の窓や、建物外周と前記足場間の床面にも、シートをかけて養生しておくことである。
【０００６】
また請求項３は、前記アスベスト成型板の破壊作業時にも、前記建物内の空中に飛散防止薬液を散布することである。
【０００７】
また請求項４は、解体作業後に前記シートに飛散防止薬液をかけて、該シートをコーティングすることである。
【発明の効果】
【０００８】
本発明は、アスベスト成型板が屋根，天井，壁等に用いられている建物を解体するに際し、建物の側周に立設された足場にシートをかけて建物の側周を密閉養生しておき、アスベスト成型板に飛散防止薬液を吹き付けた後、アスベスト成型板を破壊することとしたため、重機等やハンマー等の打撃工具を用いてコストを低減させて建物を解体することができ、また、この解体時に、アスベスト成型板には飛散防止薬液が吹き付けられて飛散が防がれており、アスベスト成型板が割れてもアスベストが飛散することがなく、また、建物の周囲は予めシートで密閉養生されているため、外部へアスベストが飛散することがなく、安全性を確保して良好に建物を解体することができるものとある。
【０００９】
また、建物の窓や、建物外周と足場間の床面にも、シートをかけて養生しておくことにより、窓からのアスベストの飛散を防ぎ、また、床面上のアスベストが側溝へ流れることをも、確実に防ぐことができるものとなる。
【００１０】
また、アスベスト成型板の破壊作業時にも、建物内の空中に飛散防止薬液を散布することとしたため、破壊作業時にアスベスト成型板が割れてアスベストが飛散した場合でも、アスベストの浮遊粉塵が外に飛散しないようにすることができる。
【００１１】
また、解体作業後にシートに飛散防止薬液をかけてシートをコーティングすることにより、密閉養生用のシートにもアスベストが付着している恐れがあるため、飛散防止薬液でシートをコーティングして、アスベストの飛散を確実に防ぐことができるものとなる。
【実施例】
【００１２】
以下、本発明の実施例を図面に基づいて説明する。
図１は、工場を解体する際の概略構成図であり、本例では、屋根に石綿スレート板が用いられている工場を解体する場合を例示しており、工場である建物１は、床面２から窓３ａを有する壁３が立ち上げられて、石綿スレート板で構成された屋根４が存在するものとする。
この建物１を解体するに際し、建物１の側周に足場５が立設されるが、この足場５は、建物の屋根４の棟４ａよりも更に１ｍ程度上方に上端５ａが位置する高さに組み立てられるものである。
【００１３】
この建物１の側周に立設された足場５の例えば内面には、０．０８ｍｍ以上の厚みのプラスチックシート６が目張りした状態で張設され、プラスチックシート６により建物１の外周は密閉養生されるものである。
なお、同時に、建物の窓３ａ，３ａにもプラスチックシート７が目張りした状態で張設されるものである。
更に、建物１の外側の足場５の内側の床面にも０．１５ｍｍ以上の厚みのプラスチックシート８が敷設されて、この建物１の外側の床面が養生されるものである。
【００１４】
このように、プラスチックシート６，７，８で密閉養生させた後に、足場５の上端５ａ側から飛散防止薬液を屋根４上に吹き付けて、屋根４の全域を飛散防止処理する。
飛散防止薬液は、屋根４を構成する石綿スレート板を湿潤状態にすることができるものであり、石綿スレート板が割れた場合にも内部のアスベストが飛散しないようにすることができ、例えば合成樹脂に安定剤，消泡剤，界面活性剤が加えられて水で薄められた薬液、その他、ビニル樹脂を主成分とする封じ込め用の市販の飛散防止薬液が用いられる。
【００１５】
このように、屋根４を飛散防止薬液で飛散防止処理した後に、建物１内に入れたユンボ９等の重機で屋根４を破壊させて、屋根４を構成する石綿スレート板を建物１の内部に落下させて解体除去する。
屋根４を構成する石綿スレート板は割れて落下するが、この際に、内部のアスベストが飛散することは防止されているが、更に安全のために、建物１の内部に飛散防止薬液を散布しながら破壊作業を行い、浮遊するアスベストの粉塵を確実に建物１内に封じ込めて外部への飛散を無くすことができるものである。
【００１６】
なお、本例では、建物の外側の床面もプラスチックシート８で養生されているため、アスベストが外部の側溝へ逃げることを確実に防いで、外部へのアスベストの飛散および流出を確実に防ぐことができるものとなる。
【００１７】
なお、建物１の壁３がアスベストを含有したアスベスト成型板で構成されている場合には、更にこの壁３にも飛散防止薬液を吹き付けて、湿潤状態とした後に解体作業が行われるものであり、破壊されて床面２に落下した石綿スレート板等のアスベスト成型板の廃棄物は、袋詰めして密閉状態にして外部に搬出されるものである。
【００１８】
なお、このような解体作業時に、外部への粉塵の飛散がないことを確認するために、足場５の外側等の所定位置に粉塵濃度測定器を設置して、粉塵濃度を測定する場合もある。
なお、建物１の解体作業が終了した後には、足場５に掛けられているプラスチックシート６にもアスベストが付着している恐れがあるため、このプラスチックシート６に飛散防止薬液を吹き付け、表面をコーティングすることでアスベストの飛散をより確実に防ぐことができるものとなる。
【００１９】
なお、建物１が小さい場合には、例えば足場５の上端５ａ，５ａ間にシートを掛け渡して、建物の屋根５の上方をもシートで密閉して、より確実に外部へのアスベストの飛散を防ぐことができるものであるが、大型の建物１の場合には、屋根５の上面側にシートを掛け渡すことは困難であるため、上方側から屋根４に向かって飛散防止薬液を吹き付けて、アスベストの飛散を防止するのである。
【００２０】
なお、水道水を吹き付けても一時的には屋根４を湿潤状態とすることができるが、水道水ではすぐに乾いてしまうため再発塵の恐れがあり、飛散防止効果は充分に期待できるものではないため、上記した飛散防止薬液を吹き付けてアスベストを封じ込めるのである。
このような方法では、ユンボ等の重機やハンマー等の打撃工具を用いて、コストを低減させて解体作業を行うことができ、また解体時に、アスベストの飛散を確実に防いで、安全性を確保して解体作業を完了することができるものである。
【００２１】
なお、石綿スレート板あるいは珪酸カルシウム板，サイディング板以外のアスベストを含有したアスベスト成型板が用いられている現場を解体する場合においても、同様に周囲をシートで密閉養生し、その状態でアスベスト成型板に飛散防止薬液を吹き付けた後、アスベスト成型板を破壊し、解体作業をコストを低減させて安全性を確保しながら行うことができるものである。
【図面の簡単な説明】
【００２２】
【図１】石綿スレート板が屋根に用いられている工場を解体する際の配置構成図である。
【符号の説明】
【００２３】
１  建物
２  床面
３  壁
３ａ  窓
４  屋根
４ａ  棟
５  足場
５ａ  上端
６，７，８  プラスチックシート
９  ユンボ（重機）
【図１】
2007063784.tif 000003